(57)【要約】      （修正有）【課題】全体の重量を低減させ、実際の付け心地をさらに軽便で快適なものとしたスイミングゴーグルを提供する。【解決手段】両網状フレームは硬質材料とし、各網状フレーム上に相対するバックルを設け、且つ両バックル間を複数のリブで接続する。接続パーツは両網状フレームの間に設け、両レンズフレーム本体は軟質材料とし、それぞれ両網状フレーム内に取り付け、各レンズフレーム本体は外周面と内周面を有し、内周面に収容スロットを設け、両レンズはそれぞれ両レンズフレーム本体の収容スロット内に取り付け、固定装置は網状フレームの第一、第二結合片上に取り付け、縦方向と横方向から第一、第二結合片に対し緊縮させることができるようにする。【選択図】図１
0003134692.tif 000002
【実用新案登録請求の範囲】
【請求項１】
両網状フレーム、接続パーツ、両レンズフレーム本体及固定装置を含み、
該両網状フレームは硬質材料とし、各網状フレーム上に相対するバックルを設け、且つ両バックル間を複数のリブで接続する。このほか、バックルの外側に取付け口を設け、またその取付け口の両側をそれぞれ延長して、信頼できる一体接続用の第一、第二結合片を設け、
該接続パーツは両網状フレームの間に設け、
該両レンズフレーム本体は軟質材料とし、それぞれ両網状フレーム内に取り付け、各レンズフレーム本体は外周面と内周面を有し、内周面に収容スロットを設け、
該両レンズはそれぞれ両レンズフレーム本体の収容スロット内に取り付け、
該固定装置は網状フレームの第一、第二結合片上に取り付け、縦方向と横方向から第一、第二結合片に対し緊縮させることができることを特徴とするスイミングゴーグル。
【請求項２】
当該軟質レンズフレーム本体の外周面上に耐圧リップエッジを設け、取り付け時に前方のバックルで縦方向の緊縮を提供することができることを特徴とする請求項１記載のスイミングゴーグル。
【請求項３】
当該複数のリブが不規則に交錯して設置されることを特徴とする請求項１記載のスイミングゴーグル。
【請求項４】
当該複数のリブが平面、或いは立体、或いは平面と立体が相混合して不規則に配置されることを特徴とする請求項３記載のスイミングゴーグル。
【請求項５】
固定装置を含み、相互にとめ合わせ一体にすることができ、またストラップを通し引っ張って固定する第一蓋体と第二蓋体、その上にそれぞれ縦方向の緊迫をする第一フックと第二フック、及び横方向の緊迫をする第三フックと第四フックすることを特徴とする請求項１記載のスイミングゴーグル。
【請求項６】
その内、第一フックと第二フックを相互にとめ合わせる一対の逆鈎状とすることができ、第三フックと第四フックは互いにとめ合わせることができる単一逆鈎状とし、且つそれら逆鈎状のフックを互いに止め合わせる時、網状フレームの取付け口を緊密に挟み合わせ、また同時に第一、第二蓋体を取り付け一体に結合させることができることを特徴とする請求項５記載のスイミングゴーグル。
【請求項７】
第一、第二結合片が第一フック、第二フックに対応し、それぞれ固定スロットを設けることを特徴とする請求項６記載のスイミングゴーグル。
【請求項８】
接続パーツが、両網状フレームと一体成型され、且つさらに一体成型された軟質パッドがあることを特徴とする請求項１記載のスイミングゴーグル。
【請求項９】
レンズフレーム本体の内周面の側面を延長した保護パッドを設けることを特徴とする請求項１記載のスイミングゴーグル。
【請求項１０】
両網状フレーム、接続片、両レンズフレーム本体、両レンズ及び固定装置を含み、
該両網状フレームは硬質材料とし、各網状フレーム上に相対するバックルを設け、且つ両バックルの間を複数のリブで接続し、このほか、バックルの外側に取付け口を設け、またその取付け口の両側をそれぞれ延長して信頼できる一体接続用の第一、第二結合片を設け、
該接続片は両網状フレームの間に設けられ、
該両レンズフレーム本体は軟質材料とし、それぞれ両網状フレーム内に取り付け、各レンズフレーム本体が外周面と内周面を有し、内周面に収容スロットを設け、このほか、外周面上に耐圧リップエッジを設け、
該両レンズはそれぞれ両レンズフレーム本体の収容スロット内に取り付け、
該固定装置は少なくとも一蓋体を包括し、その網状フレームの第一、第二結合片を緊縮させて一体とし、またストラップを通して引っ張っり固定を提供することを特徴とするスイミングゴーグル。
【請求項１１】
当該複数のリブが不規則に交錯して設置されることを特徴とする請求項１０記載のスイミングゴーグル。
【請求項１２】
当該複数のリブが平面、或いは立体、或いは平面と立体が相混合する不規則の配置とすることを特徴とする請求項１１記載のスイミングゴーグル。
【請求項１３】
接続パーツが両網状フレームと一体に成型され、且つさらに一体成型の軟質パッドがあることを特徴とする請求項１０記載のスイミングゴーグル。
【請求項１４】
レンズフレーム本体の内周面の側面を延長して保護パッドを設けることを特徴とする請求項１０記載のスイミングゴーグル。
【考案の詳細な説明】
【技術分野】
【０００１】
本考案はスイミングゴーグルに関するもので、特に挟んで緊縮する方式のレンズフレーム本体、レンズ、及び保護パッドを一体に組み込んだスイミングゴーグルを指す。また、そのスイミングゴーグルのレンズフレーム本体は軟質材料とし、レンズを収納した後、複数のリブを持つ硬質フレームに、固定装置を配合し、組み合わせて一体とするスイミングゴーグル構造である。
【背景技術】
【０００２】
スイミングゴーグルの構造形態は非常に多く、レンズの取り付け方式で区分すると、おおむね３種に分けられる。すなわち：レンズとレンズフレーム本体が一体式のもの(以下一体式と称する)、レンズをレンズフレーム本体に埋め込むタイプ(以下埋め込み式と称する)、及びレンズをマスク式保護パッドに取り付けた後、さらにレンズフレーム本体に取り付け、また固定装置により固定するもの(以下固定式と称する)。その内、本考案と関係する固定式は、そのレンズフレーム本体を硬質材料とし、スイミングゴーグル全体の大部分の体積と重量を占める。そのためスイミングゴーグル全体の重量はずっと低減させることができず、つけた時の快適さが大きく損なわれた。
【０００３】
そこで、本考案の出願人は特許文献１(相対案：特許文献２)で、解決方法を提出した。材質が軽い硬質網状フレームと軟質のレンズフレーム本体を組み合わせて、これにより、スイミングゴーグル全体の重量を低減させ、より軽便で快適な付け心地を提供した。その内、その硬質網状フレームは相対する両バックル、及び両バックルを接続する複数のリブから構成される。それらのリブと軟質のレンズフレーム本体上の複数の固定スロットによってとめ合わされた後、さらに固定装置を配合して一体に組み合わせ、効果的な組立てを達成し、周知のものの欠点を改善することができる。
【０００４】
【特許文献１】台湾特許第９４２０３１５５号明細書
【特許文献２】米国特許第１１/０９２,９２７号明細書
【考案の開示】
【考案が解決しようとする課題】
【０００５】
本考案の目的は、同じく周知の固定装置式のレンズとレンズフレーム本体の欠点を改善し、そして実際の付け心地が、さらに軽便で快適な効果を提供することができ、それによりもう一種異なる選択を提供することである。また、当該スイミングゴーグルの固定装置は縦方向と横方向に緊縮する取り付け効果を提供し、硬質網状フレームと軟質レンズフレーム本体を、堅固に組み合わせ一体とすることができる。
【０００６】
上記の目的を達成するため、本考案のスイミングゴーグルは以下のものを包括する：接続パーツにより接続され、取付け口を有する両硬質網状フレーム、レンズを収容するし、またその網状フレーム内に取り付ける軟質レンズフレーム本体、その網状フレームと緊縮にし、またストラップを通し牽引を提供する固定装置。その内、当該硬質網状フレーム上には、レンズフレーム本体の前後の側縁のバックルにフレームカバーを設け、且つ前後バックルの間を複数のリブで接続する。このほか、バックルの外側に取付け口を設け、また、その取付け口には一体接続できる第一、第二結合片を設ける。同時にその第一、第二結合片は固定装置で、縦方向と横方向へ緊縮させて取り付けられる。
【０００７】
本考案のスイミングゴーグルのもう一つの特徴は、軟質レンズフレーム本体の外周面に耐圧リップエッジを設け、取り付け時に前方のバックルに縦方向の緊縮が提供できることである。
【課題を解決するための手段】
【０００８】
請求項１の考案は、両網状フレーム、接続パーツ、両レンズフレーム本体及固定装置を含み、
該両網状フレームは硬質材料とし、各網状フレーム上に相対するバックルを設け、且つ両バックル間を複数のリブで接続する。このほか、バックルの外側に取付け口を設け、またその取付け口の両側をそれぞれ延長して、信頼できる一体接続用の第一、第二結合片を設け、
該接続パーツは両網状フレームの間に設け、
該両レンズフレーム本体は軟質材料とし、それぞれ両網状フレーム内に取り付け、各レンズフレーム本体は外周面と内周面を有し、内周面に収容スロットを設け、
該両レンズはそれぞれ両レンズフレーム本体の収容スロット内に取り付け、
該固定装置は網状フレームの第一、第二結合片上に取り付け、縦方向と横方向から第一、第二結合片に対し緊縮させることができることを特徴とするスイミングゴーグルとしている。
請求項２の考案は、当該軟質レンズフレーム本体の外周面上に耐圧リップエッジを設け、取り付け時に前方のバックルで縦方向の緊縮を提供することができることを特徴とする請求項１記載のスイミングゴーグルとしている。
請求項３の考案は、当該複数のリブが不規則に交錯して設置されることを特徴とする請求項１記載のスイミングゴーグルとしている。
請求項４の考案は、当該複数のリブが平面、或いは立体、或いは平面と立体が相混合して不規則に配置されることを特徴とする請求項３記載のスイミングゴーグルとしている。
請求項５の考案は、固定装置を含み、相互にとめ合わせ一体にすることができ、またストラップを通し引っ張って固定する第一蓋体と第二蓋体、その上にそれぞれ縦方向の緊迫をする第一フックと第二フック、及び横方向の緊迫をする第三フックと第四フックすることを特徴とする請求項１記載のスイミングゴーグルとしている。
請求項６の考案は、その内、第一フックと第二フックを相互にとめ合わせる一対の逆鈎状とすることができ、第三フックと第四フックは互いにとめ合わせることができる単一逆鈎状とし、且つそれら逆鈎状のフックを互いに止め合わせる時、網状フレームの取付け口を緊密に挟み合わせ、また同時に第一、第二蓋体を取り付け一体に結合させることができることを特徴とする請求項５記載のスイミングゴーグルとしている。
請求項７の考案は、第一、第二結合片が第一フック、第二フックに対応し、それぞれ固定スロットを設けることを特徴とする請求項６記載のスイミングゴーグルとしている。
請求項８の考案は、接続パーツが、両網状フレームと一体成型され、且つさらに一体成型された軟質パッドがあることを特徴とする請求項１記載のスイミングゴーグルとしている。
請求項９の考案は、レンズフレーム本体の内周面の側面を延長した保護パッドを設けることを特徴とする請求項１記載のスイミングゴーグルとしている。
請求項１０の考案は、両網状フレーム、接続片、両レンズフレーム本体、両レンズ及び固定装置を含み、
該両網状フレームは硬質材料とし、各網状フレーム上に相対するバックルを設け、且つ両バックルの間を複数のリブで接続し、このほか、バックルの外側に取付け口を設け、またその取付け口の両側をそれぞれ延長して信頼できる一体接続用の第一、第二結合片を設け、
該接続片は両網状フレームの間に設けられ、
該両レンズフレーム本体は軟質材料とし、それぞれ両網状フレーム内に取り付け、各レンズフレーム本体が外周面と内周面を有し、内周面に収容スロットを設け、このほか、外周面上に耐圧リップエッジを設け、
該両レンズはそれぞれ両レンズフレーム本体の収容スロット内に取り付け、
該固定装置は少なくとも一蓋体を包括し、その網状フレームの第一、第二結合片を緊縮させて一体とし、またストラップを通して引っ張っり固定を提供することを特徴とするスイミングゴーグルとしている。
請求項１１の考案は、当該複数のリブが不規則に交錯して設置されることを特徴とする請求項１０記載のスイミングゴーグルとしている。
請求項１２の考案は、当該複数のリブが平面、或いは立体、或いは平面と立体が相混合する不規則の配置とすることを特徴とする請求項１１記載のスイミングゴーグルとしている。
請求項１３の考案は、接続パーツが両網状フレームと一体に成型され、且つさらに一体成型の軟質パッドがあることを特徴とする請求項１０記載のスイミングゴーグルとしている。
請求項１４の考案は、レンズフレーム本体の内周面の側面を延長して保護パッドを設けることを特徴とする請求項１０記載のスイミングゴーグルとしている。
【考案の効果】
【０００９】
同じく周知の固定装置式のレンズとレンズフレーム本体の欠点を改善し、そして実際の付け心地が、さらに軽便で快適な効果を提供することができ、それによりもう一種異なる選択を提供することである。また当該スイミングゴーグルの固定装置は縦方向と横方向に緊縮する取り付け効果を提供し、硬質網状フレームと軟質レンズフレーム本体を、堅固に組み合わせ一体とすることができる。
【考案を実施するための最良の形態】
【００１０】
図１、図２を参照のこと。本考案のスイミングゴーグル１は下記のものを包括する：両網状フレーム２、接続パーツ３、両レンズフレーム本体４と両レンズ５、及び固定装置６等の構造。その内、各網状フレーム２上に相対するバックル２０、２１を設け、且つ両バックル２０、２１の間を複数のリブ２２で接続する。その内、それらリブ２２は、平面或いは立体、或いは平面と立体が相混合した不規則な交錯の設置をとり、形体の視覚上のオリジナリティを持たせることができる。このほか、バックル２０、２１の外側に取付け口２３を設け、またその取付け口２３を延長して信頼できる一体接続用の第一、第二結合片２４、２５を設け、各結合片２４、２５上にそれぞれ固定スロット２４１、２５１を設ける。その接続パーツ３は、両網状フレームの間に設けられ、両網状フレーム２と一体成型し、且つさらに一体成型の軟質パッド３０は鼻梁と快適なフィットを提供することができる。
【００１１】
当該の両レンズフレーム本体４は軟質材料とし、それぞれ両網状フレーム２内に取り付けられ、各レンズフレーム本体４は外周面４０と内周面４１を有し、内周面４１に収容スロット４２を設け、レンズ５の収容に用いる(そのレンズ５はレンズフレーム本体４を成型する前に、まず収容スロット４２内に埋め込んでおいてから一緒に成型する)。そして外周面４０には耐圧リップエッジ４３を設け、取り付け時に前方に位置するバックル２０で縦方向の緊縮を提供することができる。また内周面４１の一側面を延長した保護パッド４５を設けて、顔と心地よい接触を提供するのに用いる。
【００１２】
当該固定装置６は、網状フレーム２の第一、第二結合片２４、２５上に取り付けられ、下記のものを包括する：相互にとめ合わされ一体とすることができる第一蓋体６０と第二蓋体６１。その内、その第一蓋体６０は底面６０１を有し、その上に第一フック６２を設ける。そして、その第二蓋体６１は底面６１１を有し、その上に第二フック６３を設け、その第一、第二フック６２、６３はそれぞれ一対の逆鈎状とする。組立て時においては、第一、第二結合片２４、２５の固定スロット２４１、２５１上に設け、縦方向からバックル２０、２１の取付け口２３に対し緊縮させることができ、取付け口２０、２１を緊密に挟み合わせる。また第二蓋体６１の底面６１１上にストラップ通し穴６１０を設け、ストラップ(図未表示)を通して引っ張り固定するのに用いる。さらに第一蓋体６０と第二蓋体６１上にそれぞれ第三フック６４と第四フック６５を設け、単一逆鈎状とし、横方向からバックル２０、２１の取付け口２３に対し緊縮させることができる。一旦、第一、第二フック６２、６３、及び第三フック６４と第四フック６５がそれぞれとめ合わされると、第一蓋体６０と第二蓋体６１が組み合わされ一体に結合されるだけでなく、取付け口２３が縦方向と横方向上に緊密に挟み合わされる。しかもレンズ５をレンズフレーム本体４上に堅固に取り付けることができ、浸水の恐れがない。
【００１３】
本考案の取り付け時は、図１に図３から図６を合わせて参照し、まずレンズ５をそれぞれ両レンズフレーム本体４の収容スロット４２内に取り付け、さらに硬質網状フレーム２の取付け口２３から軟質レンズフレーム本体４を接続パーツ３に近い側面の網状フレーム２へ組み入れる。取り付け過程において、そのレンズフレーム本体４の外周面４０はその円弧面により、スムーズに網状フレーム２の両バックル２０、２１の間(図５)にスムーズに滑り込む。同時に網状フレーム２の両バックル２０、２１は縦方向にその耐圧リップエッジ４３を緊縮させ、このようにして効果的にそのレンズフレーム本体４を網状フレーム２の両バックル２０、２１間に置く。またその耐圧リップエッジ４３を縦方向に耐圧させる。その後(図１、図５を一緒に参照のこと)、第二蓋体６１の第二フック６３を固定スロット２４１、２５１に沿って取り付け、さらに第一蓋体６０の第一フック６２と第二フック６３を互いにとめ合わせる。とめ合わせの過程において、第一、第二結合片２４、２５は徐々に縦方向に緊縮させ挟み合わせる。この時(図４参照)同時に第一、第二蓋体６０、６１の第三、第四フック６４、６５も互いにとめ合わせて一体となり、横方向の第一、第二結合片２４、２５に対し緊縮させ挟み合わせる。また第一、第二蓋体６０、６１を組み合わせて一体に結合させ、さらにレンズフレーム本体４とレンズ５を堅固に組立てる。そこで本考案では第一、第二フック６２、６３を縦方向に緊縮させ挟み合わせ、また第三、第四フック６４、６５を横方向に緊縮させ挟み合わせ、そして両バックル２０、２１でその耐圧リップエッジ４３を縦方向に緊縮させることにより、そのレンズフレーム本体４とレンズ５を堅固に組立てることができる。且つ本考案のレンズフレーム本体４はやや軟質材料を設置し、軽い材質の網状フレーム２を配合し、スイミングゴーグル全体の重量を低減させることができ、それにより、実際の付け心地がさらに簡便で快適になるという効果を提供することができる。
【図面の簡単な説明】
【００１４】
【図１】本考案のスイミングゴーグルの立体分解図である。
【図２】図１の立体組立図である。
【図３】図２の正面図である。
【図４】図３の４-４での断面図である。
【図５】図２の上から見た図である。
【図６】図５の６-６での断面図である。
【符号の説明】
【００１５】
１  スイミングゴーグル
２  両網状フレーム
３  接続パーツ
４  両レンズフレーム本体
５  両レンズ
６  固定装置
２０、２１  バックル
２２  リブ
２３  取付け口
２４  第一結合片
２５  第二結合片
３０  パッド
４０  外周面
４１  内周面
４２  収容スロット
４３  耐圧リップエッジ
４５  保護パッド
２４１、２５１  固定スロット
６０  第一蓋体
６１  第二蓋体
６０１、６１１  底面
６１０  ストラップ通し穴
６２  第一フック
６３  第二フック
６４  第三フック
６５  第四フック
【図１】
0003134692.tif 000003
【図２】
0003134692.tif 000004
【図３】
0003134692.tif 000005
【図４】
0003134692.tif 000006
【図５】
0003134692.tif 000007
【図６】
0003134692.tif 000008